(57)【要約】【課題】ソフトウェアキーボードのキーをカーソルで選択するソフトウェアキーボード装置において、簡単な仕組みを追加することにより、ソフトウェアキーボードの基本的構成を大きく変えることなく、目標のキーに到達するまでの操作回数を削減する。【解決手段】テレビジョン受像器１のモニター部２の画面に表示されたソフトウェアキーボード２０のキー２１の中から、目標のキー２１をリモコン１０を使って選択する。リモコン１０に設けた増倍キー１３を押すとジョグ移動増倍モードになり、リモコン１０のジョグスイッチ１１を操作したときのカーソル２２のジョグ移動距離が所定の倍率に拡大される。そして現在カーソル２２が位置するキー２１及びカーソル２２が移動する可能性のあるキー２１とそれ以外のキー２１とで表示方式が変わり、カーソル２２が移動する可能性のあるキー２１を含むキーマトリックス内の行と列はハイライト表示となる。【選択図】図３
2007206861.tif 000002
【特許請求の範囲】
【請求項１】
画面にインターフェースとして表示されたソフトウェアキーボードのキーを、画面上のカーソルをリモコンでジョグ移動させることにより選択するソフトウェアキーボード装置を備えたテレビジョン受像機において、
前記リモコンに、前記カーソルのジョグ移動距離を増倍できる増倍キーを設けるとともに、この増倍キーの操作によりジョグ移動増倍モードにしたときは、現在カーソルが位置するキー及びカーソルが移動する可能性のあるキーとそれ以外のキーとで表示方式を変え、且つ前記カーソルが移動する可能性のあるキーを含むキーマトリックス内の行と列をハイライト表示することを特徴とするテレビジョン受像機。
【請求項２】
機器の画面にインターフェースとして表示されたソフトウェアキーボードのキーを、画面上のカーソルをカーソル移動装置でジョグ移動させることにより選択するソフトウェアキーボード装置において、
前記カーソル移動装置に、カーソルのジョグ移動距離を増倍できる増倍キーを設けたことを特徴とするソフトウェアキーボード装置。
【請求項３】
前記増倍キーの操作によりジョグ移動増倍モードにしたときは、現在カーソルが位置するキー及びカーソルが移動する可能性のあるキーとそれ以外のキーとで表示方式を変えることを特徴とする請求項２に記載のソフトウェアキーボード装置。
【請求項４】
ジョグ移動増倍モード時、前記カーソルが移動する可能性のあるキーを含むキーマトリックス内の行と列をハイライト表示することを特徴とする請求項３に記載のソフトウェアキーボード装置。
【請求項５】
前記カーソル移動装置が前記画面を有する機器のリモコンであることを特徴とする請求項２〜４のいずれか１項に記載のソフトウェアキーボード装置。
【発明の詳細な説明】
【技術分野】
【０００１】
本発明はソフトウェアキーボード装置及びそれを備えたテレビジョン受像機に関する。
【背景技術】
【０００２】
近年、電子機器に対しコマンドを入力するインタフェース機構として、物理的なキーボードに代え、画面上に表示されるキーをポインティングデバイスやシフトキー等で選択する、いわゆるソフトウェアキーボードと呼ばれるものが様々な局面で使用されるようになっている。テレビジョン受像機にあっても、地上波デジタル放送対応のものではデータ放送の受信画面上でソフトウェアキーボードにより入力を行う仕組みが取り入れられている。そのようなソフトウェアキーボードの例を特許文献１〜５に見ることができる。
【特許文献１】特開２００５−２８６８３５号公報（［００２１］−［００３７］、図１−７）
【特許文献２】特表２００５−５０９９７４号公報（［００１４］−［００３１］、図１−２）
【特許文献３】特開２００４−１１８６７５号公報（［００１９］−［００４７］、図１−７）
【特許文献４】特開２０００−３９９４１号公報（［００１８］−［００６１］、図１−１０）
【特許文献５】特開平１０−２２８３４４号公報（［０００６］−［００３７］、図１−４、７）
【発明の開示】
【発明が解決しようとする課題】
【０００３】
特許文献３記載のソフトウェアキーボードのように、ポインティングデバイスを用いてキーの選択を行うものにあっては、次に選択すべきキーが飛び離れた位置にあっても容易にカーソルを移動できる。しかしながら機器のリモートコントローラ（以下「リモコン」と略称する）に備わったシフトキー（ジョグキー）でカーソルをジョグ移動させてキーを選択する仕組みのものでは、目指すキーが遠く離れた位置にある場合、シフトキー（ジョグキー）の押し下げ動作を何回も繰り返さねばならない。そこで、できるだけ少ないキー操作回数で目標のキーに到達できるよう、様々な工夫がこらされている。
【０００４】
特許文献１に記載されたＴＶ受信機では、ソフトウェアキーボードにリモコンのキー配列を重ねて表示し、目標のソフトウェアキーに位置が一致したリモコンキーを押すことにより、そのソフトウェアキーの入力を確定する仕組みになっている。この方式は、リモコンのキーの中に少なくともテンキーが含まれている必要があり、また画面上でソフトウェアキーのキー種別とリモコンのキー種別を並べて表示するので見やすさに欠けるという問題がある。
【０００５】
特許文献２に記載された装置では、ソフトウェアキーボードのキーマトリックス内をカーソルが自動的に移動する。目標のソフトウェアキーにカーソルが一致したときにカーソルの動きを止め、そのソフトウェアキーの入力を確定する。この方式は、目標のソフトウェアキーにカーソルが重なった瞬間にカーソルを止める必要があり、反射神経の衰えた人には操作しづらいという問題がある。
【０００６】
特許文献４に記載された装置では、ソフトウェアキーボードがキーパレットの領域とメニューの領域に大別され、リモコンのメニューキーを押すことにより、フォーカスをキーパレット領域からメニュー領域へ、あるいはその逆へと移動することができる。またフォーカスがキーパレットの端にあるとき、キーパレットの外に出るようにフォーカス移動キーを操作すると、フォーカスがキーパレットの反対側に移動する。フォーカスがキーパレットの端の位置にないときは、キーを１個ずつたどる形でフォーカスをジョグ移動させねばならない。
【０００７】
特許文献５に記載された装置では、ｍ×ｎのマトリックスで再帰的に配列されたソフトウェアキーボードを、同じくｍ×ｎのマトリックス構造のキー配列を有するリモコンで操作してキー入力回数を減らしている。この方式だとキー配列を一定の法則にあてはめねばならず、ソフトウェアキーボードの設計が制約を受ける。
【０００８】
本発明は上記の点に鑑みなされたものであり、ソフトウェアキーボードのキーをカーソルで選択するソフトウェアキーボード装置において、簡単な仕組みを追加することにより、ソフトウェアキーボードの基本的構成を大きく変えることなく、目標のキーに到達するまでの操作回数を削減できるようにすることを目的とする。またこのようソフトウェアキーボード装置を備えた使い勝手の良いテレビジョン受像機を提供することを目的とする。
【課題を解決するための手段】
【０００９】
上記目的を達成するために、請求項１の発明は、画面にインターフェースとして表示されたソフトウェアキーボードのキーを、画面上のカーソルをリモコンでジョグ移動させることにより選択するソフトウェアキーボード装置を備えたテレビジョン受像機において、
前記リモコンに、前記カーソルのジョグ移動距離を増倍できる増倍キーを設けるとともに、この増倍キーの操作によりジョグ移動増倍モードにしたときは、現在カーソルが位置するキー及びカーソルが移動する可能性のあるキーとそれ以外のキーとで表示方式を変え、且つ前記カーソルが移動する可能性のあるキーを含むキーマトリックス内の行と列をハイライト表示することを特徴としている。
【００１０】
この構成によると、地上波デジタル放送のデータ放送受信画面上でインターフェースとして表示されたソフトウェアキーボードのキーをリモコンで選択する際など、増倍キーでカーソルのジョグ移動距離を増倍することにより、一気に何個か先のキーへとカーソルを移動させることが可能になり、少ない操作回数で速やかに目標のキーを選択することができる。また増倍移動先のキーとそれ以外のキーとで表示モードが変わり、そのキーを含むキーマトリックス内の行と列をハイライト表示するから、次の操作でカーソルがどの位置まで移動するかが明確になり、カーソルを過たず目標のキーに接近させることができる。
【００１１】
請求項２の発明は、画面にインターフェースとして表示されたソフトウェアキーボードのキーを、画面上のカーソルをカーソル移動装置でジョグ移動させることにより選択するソフトウェアキーボード装置において、前記カーソル移動装置に、カーソルのジョグ移動距離を増倍できる増倍キーを設けたことを特徴としている。
【００１２】
この構成によると、増倍キーでカーソルのジョグ移動距離を増倍することにより、一気に何個か先のキーへとカーソルを移動させることが可能になり、少ない操作回数で速やかに目標のキーを選択することができる。増倍キーを追加するだけなのでハードウェアの変更が少なく、ソフトウェアキーボードの基本的構成を変える必要もないので実現容易である。
【００１３】
請求項３の発明では、請求項２のソフトウェアキーボード装置において、前記増倍キーの操作によりジョグ移動増倍モードにしたときは、現在カーソルが位置するキー及びカーソルが移動する可能性のあるキーとそれ以外のキーとで表示方式を変えることを特徴としている。
【００１４】
この構成によると、次の操作でカーソルがどの位置まで移動するかが明確になり、カーソルを過たず目標のキーに接近させることができる。
【００１５】
請求項４の発明では、請求項２又は３のソフトウェアキーボードにおいて、前記カーソル移動装置が前記画面を有する機器のリモコンであることを特徴としている。
【００１６】
この構成によると、ソフトウェアキーボードを表示させる機器のリモコンをカーソル移動装置に兼用したから、構成要素の数が減り、製造コストを削減できる。使用者にとっても、使い慣れたリモコンでカーソルの操作まで行うことができるから利便性が高い。
【発明の効果】
【００１７】
以上のように本発明によれば、画面にインターフェースとして表示されたソフトウェアキーボードのキーを、画面上のカーソルをリモコンでジョグ移動させることにより選択するソフトウェアキーボード装置において、前記リモコンに、前記カーソルのジョグ移動距離を増倍できる増倍キーを設けるとともに、この増倍キーの操作によりジョグ移動増倍モードにしたときは、現在カーソルが位置するキー及びカーソルが移動する可能性のあるキーとそれ以外のキーとで表示方式を変え、且つ前記カーソルが移動する可能性のあるキーを含むキーマトリックス内の行と列をハイライト表示するものであるから、テレビジョン受像機にこのソフトウェアキーボード装置を備えさせ、地上波デジタル放送のデータ放送受信画面上でインターフェースとして表示されたソフトウェアキーボードのキーをリモコンで選択する際など、増倍キーでカーソルのジョグ移動距離を増倍することにより、一気に何個か先のキーへとカーソルを移動させることが可能になり、少ない操作回数で速やかに目標のキーを選択することができる。また増倍移動先のキーとそれ以外のキーとで表示モードが変わり、そのキーを含むキーマトリックス内の行と列をハイライト表示するから、次の操作でカーソルがどの位置まで移動するかが明確になり、カーソルを過たず目標のキーに接近させることができる。
【発明を実施するための最良の形態】
【００１８】
以下、添付図面を参照しつつ本発明の実施形態を説明する。図１はソフトウェアキーボード装置を備えたテレビジョン受像機の概略構成図、図２−４はソフトウェアキーボードの概念図にしてそれぞれ異なるモードを示すものである。
【００１９】
図１には、ソフトウェアキーボード装置を備えた機器の一例として、テレビジョン受像機１が示されている。テレビジョン受像機１はモニター部２と制御回路部３に大別され、リモコン１０が付随する。
【００２０】
制御回路部３には次の回路要素が含まれる。すなわち、リモコン１０からの赤外線信号を受け取る赤外線受光部４、赤外線受光部４から信号を受け取って処理する中央処理部５、中央処理部５での処理に必要なデータを蓄積するメモリ６、モニター部２の画面上にソフトウェアキーボードを表示させるためのＯＳＤ（On Screen Display）回路７、及びＴＶ出力回路８である。
【００２１】
リモコン１０には、テレビジョンのチャンネル選択や音量調整を行うためのキー群（これらは図示しない）の他、メニュー選択を行うためのジョグキー（十字キー）１１が備えられている。ジョグキー１１の中心には決定キー１２が配置されている。ジョグキー１１と決定キー１２はソフトウェアキーボードでキーの選択と決定を行うのにも用いられる。その他リモコン１０には増倍キー１３が設けられている。
【００２２】
モニター部２の画面に表示されるソフトウェアキーボード２０を図２に示す。ソフトウェアキーボード２０はキー２１を１２行１５列のマトリックスに配列したものである。ソフトウェアキーボード２０におけるキー２１の選択は次のようにして行われる。
【００２３】
図２において、ソフトウェアキーボード２０の上端の行を第１行とし、左端の列を第１列とする。カーソル２２は現在第４行第４列の位置のキー２１にある。識別のため、このキー２１には「Ａ」の符号が付されている。カーソル２２を第１０行第１３列の位置のキー２１（識別のため「Ｂ」の符号が付されている）に移動させる場合、通常であればジョグキー１２を操作してカーソル２２を下に６回、右に９回、合計１５回ジョグ移動させることになる。
【００２４】
上記のように何度もジョグ移動させる手間を省くのが増倍キー１３の役割である。増倍キー１３を押しながらジョグキー１２を押すと、ジョグ移動距離が所定の倍率に拡大される。すなわち予め設定した倍率の分だけ先のキー２１にカーソル２２が移動する。ここでは倍率は「５」に設定されており、カーソル２２は、ジョグの方向によって、第９行第４列のキー２１に移動するか、第４行第９列のキー２１に移動することになる。
【００２５】
増倍キー１３を押してジョグ移動増倍モードにすると、ソフトウェアキーボード２０の表示が図３のように変わる。すなわち、現在カーソル２２のある第４行第４列のキー２１と、カーソル２２が移動する可能性のある第９行第４列のキー２１、及び第４行第９列のキー２１と、それ以外のキー２１とで表示方式を変える。これは例えば、第４行第４列、第９行第４列、及び第４行第９列の３個のキー２１は図２の表示状態のままに保ち、それ以外のキー２１はグレイ表示にする、あるいは淡く表示するといった手法で達成できる。
【００２６】
さらに、カーソル２２の移動先が５行あるいは５列離れた箇所であることを印象づけるため、その行と列をハイライト表示する。すなわち第９行のバックには水平のハイライト帯２３Ｈを入れ、第９列のバックには垂直のハイライト帯２３Ｖを入れる。
【００２７】
どちらを先にしても構わないが、第４行第４列のカーソル２２を下に１回、右に１回増倍移動させると、カーソル２２は第９行第９列の位置に来る。ここで増倍キー１３から指を離すと図２の表示に戻る。後は通常のジョグ移動モードで下に１回、右に４回させればカーソル２２は目標であった第１０行第１３列のキー２１に到着する。ここまでに要したジョグ移動回数は７回であり、増倍移動を利用しなかった場合に比べ、ジョグ移動回数を８回節約できたことになる。
【００２８】
カーソル２２が移動する可能性のあるキー２１の表示方式が変わるのは、その時点におけるカーソル位置を基準として行われる。従って、カーソル２２が例えば第９行第４列の位置に増倍移動したとすれば、第９行第４列のキー２１の他、右方向に増倍移動する可能性がある第９行第９列のキー２１と、上方向に増倍移動（逆戻りということになるが）する可能性がある第４行第４列のキー２１が図２の表示状態で、それ以外のキー２１はグレイ表示など他の表示方式となる。ハイライト帯２３Ｈ、２３Ｖの位置もその都度変わる。
【００２９】
キー２１の表示方式を変えるについては、上記の方式の他、様々な方式が考えられる。例えばキーの大きさを変える、キーの形状を変える、フォントを変える、フォントの色を変える、非表示にするなどである。適宜のものを選択し、あるいはそれらを組み合わせて実施すればよい。
【００３０】
増倍移動の場合の倍率も任意に設定できる。図３の場合の「５」は単なる例示に過ぎない。
【００３１】
ジョグ移動増倍モードに入り、再びそこから抜けるやり方も色々なものが考えられる。図３では増倍キー１３を押している間中ジョグ移動増倍モードが維持されることとしたが、増倍キー１３を一度押せばそれ以後指を離してもジョグ移動増倍モードが維持され、もう一度増倍キー１３を押すことによりジョグ移動増倍モードから抜ける、という方式も可能である。あるいは、増倍キー１３を一度押してジョグ移動増倍モードにした後、ジョグキー１１でカーソル２２を一度増倍移動させればジョグ移動増倍モードから脱却する、ということにもできる。
【００３２】
図４にジョグ移動増倍モードの他の例を示す。図４における増倍移動の倍率は「１０」である。この場合、右方向へのジョグスイッチ１１を少し長く押すとカーソル２２は一気に第４行第１４列のキー２１まで移動する。下方向へのジョグスイッチ１１を押した後、連続して右方向へのジョグスイッチ１１を押すと、カーソル２２は第９行第９列のキー２１まで一気に移動する。
【００３３】
以上本発明の実施形態につき説明したが、発明の主旨を逸脱しない範囲でさらに種々の変更を加えて実施することができる。
【産業上の利用可能性】
【００３４】
本発明は、ソフトウェアキーボードを備える機器全般、及びソフトウェアキーボード装置を備えるテレビジョン受像機に利用可能である。
【図面の簡単な説明】
【００３５】
【図１】ソフトウェアキーボード装置を備えたテレビジョン受像機の概略構成図
【図２】ソフトウェアキーボードの概念図
【図３】異なるモードにおけるソフトウェアキーボードの概念図
【図４】さらに異なるモードにおけるソフトウェアキーボードの概念図
【符号の説明】
【００３６】
１    テレビジョン受像機
２    モニター部
３    制御回路部
１０  リモコン
１１  ジョグキー
１３  増倍キー
２０  ソフトウェアキーボード
２１  キー
２２  カーソル
【図１】
2007206861.tif 000003
【図２】
2007206861.tif 000004
【図３】
2007206861.tif 000005
【図４】
2007206861.tif 000006